(57)【要約】【課題】かご操作盤の行先釦を利用して一般乗客が乗場呼び通過運転を選択・解消できるエレベータの運転装置を提供する。【解決手段】エレベータのかご内に設置されたかご操作盤に行先階床を指定する行先釦１の所定操作による入力に基づいて行先釦１に対応する行先階床までの乗場呼び通過要求があったことを検出する乗場呼び通過要求検出手段２と、乗場呼び通過要求検出手段２による乗場呼び通過要求の検出に基づいて、乗場に設置された乗場呼び釦による乗場呼びの有無に拘わらず行先釦１に対応する行先階床までエレベータかごを直通運転する乗場呼び通過運転手段３とを備えた。【選択図】　　　　図１
2004142883.tif 000002
【特許請求の範囲】
【請求項１】
エレベータのかご内に設置されたかご操作盤の行先階床を指定する行先釦の所定操作による入力に基づいて前記行先釦に対応する行先階床までの乗場呼び通過要求があったことを検出する乗場呼び通過要求検出手段と、
前記乗場呼び通過要求検出手段による乗場呼び通過要求の検出に基づいて、乗場に設置された乗場呼び釦による乗場呼びの有無に拘わらず前記行先釦に対応する行先階床までエレベータかごを直通運転する乗場呼び通過運転手段と
を備えたことを特徴とするエレベータの運転装置。
【請求項２】
請求項１に記載のエレベータの運転装置において、
前記乗場呼び通過要求検出手段により通過要求が検出された後、前記乗場呼び通過要求を解消する前記行先釦の再操作があったことを検出する乗場呼び通過要求解消手段を備え、
前記乗場呼び通過運転手段は、前記乗場呼び通過要求解消手段の検出に基づいて、前記エレベータかごの直通運転を解消する
ことを特徴とするエレベータの運転装置。
【請求項３】
請求項１または２に記載のエレベータの運転装置において、
前記行先釦の入力があると該入力のあった行先釦を点灯させ、前記乗場呼び通過要求検出手段による乗場呼び通過要求の検出に基づいて前記点灯をフリッカー点灯とする行先釦灯を備えたことを特徴とするエレベータの運転装置。
【発明の詳細な説明】
【０００１】
【発明の属する技術分野】
この発明はエレベータの運転装置に関し、特に簡単な手段で乗客の意図により乗場呼びを通過させるエレベータの運転装置に関するものである。
【０００２】
【従来の技術】
従来のエレベータの運転装置における乗場呼びの通過は、主として２つの選択方法が有った。一つは、複数区画に分割されたエレベータ乗りかご内の各区画毎に、物体を検出する検出装置を設置することにより、乗りかご内乗客による占有面積を検出し、占有面積が設定値異常になると、途中の乗場呼びを通過させる満員通過運転である（例えば、特許文献１参照。）。
他の一つは、任意の階の通過の設定は、エレベータ操作盤にある通過スイッチをＯＮし、先方の行先階呼までの乗場呼を途中階行先呼灯の点灯に変化をもたせて点灯した行先階呼灯兼乗場呼灯の行先階釦を操作することにより通過階の設定を行う満員通過運転である（例えば、特許文献２参照。）。
【０００３】
【特許文献１】
特開平６−１４４７１８号公報（第３頁、第１図）
【特許文献２】
特開平７−１１７９３８号公報（第２頁、第１図）
【０００４】
【発明が解決しようとする課題】
以上のような、従来のエレベータの運転装置では、一般乗客が緊急で目的階床迄行きたい時、あるいは異性との同上を避けたい時などに、自由に通過運転を選択することはできない。即ち、現状のエレベータにおいては、乗場呼び通過運転への移行は一般乗客の意図による運転はできないといった問題点があった。
【０００５】
本発明は、以上のような問題点を解決するためになされたものであり、かご操作盤の行先釦を利用して一般乗客が乗場呼び通過運転を選択・解消できるエレベータの運転装置を提供することを目的とする。
【０００６】
【課題を解決するための手段】
この発明に係るエレベータの運転装置は、エレベータのかご内に設置されたかご操作盤の行先階床を指定する行先釦の所定操作による入力に基づいて行先釦に対応する行先階床までの乗場呼び通過要求があったことを検出する乗場呼び通過要求検出手段と、乗場呼び通過要求検出手段による乗場呼び通過要求の検出に基づいて、乗場に設置された乗場呼び釦による乗場呼びの有無に拘わらず行先釦に対応する行先階床までエレベータかごを直通運転する乗場呼び通過運転手段とを備えたものである。
【０００７】
【発明の実施の形態】
実施の形態１．
図１は、本発明の実施の形態１に係るエレベータの運転装置の構成を示したブロック図である。図１において、エレベータの運転装置は、かご操作盤に設置された行先釦１と、行先釦１の所定時間の長押し等の所定操作による入力に基づいて行先釦１に対応する行先階床までの乗場呼び通過要求があったことを検出する乗場呼び通過要求検出手段２と、乗場呼び通過要求検出手段２による乗場呼び通過要求の検出に基づいて、乗場に設置された乗場呼び釦による乗場呼びの有無に拘わらず行先釦１に対応する行先階床までエレベータかごを直通運転する乗場呼び通過運転手段３とを含む。
【０００８】
すなわち、登録済みの目的階床の行先釦１が所定時間操作されると直通運転が動作される。乗場呼び通過運転手段３は目的階床迄の間、走行方向と同方向の乗場呼びを無視してエレベータかごを目的階床まで直通運転させる。
また、乗場呼び通過要求検出手段２により通過要求が検出された後、乗場呼び通過要求を解消する行先釦１の再操作があったことを検出する乗場呼び通過要求解消手段４を備えることにより、乗場呼び通過運転手段３は乗場呼び通過要求解消手段４の検出に基づいてエレベータかごの直通運転を解消する。
【０００９】
図２は、図１のエレベータの運転装置の処理の流れの一例を示したフローチャートである。以下に図２を参照しながら行先釦１を使用しての乗場呼び通過運転の処理を説明する。なお、このフローチャートは、エレベータ制御用コンピュータが立ち上がると、起動されてから所定の周期で実行されるものである。
【００１０】
一般乗客がエレベータかごに乗り込み、目的階床の行先釦１を操作すると、周知の如く行先呼びが登録され、目的階床の行先呼びが登録されたことを行先釦灯を点灯させて乗客に報知する。一般乗客の体調が悪く、緊急で診療所あるいは病院に行きたい時を例にとって、以下に実施の形態を説明する。
【００１１】
ステップＳ１では、行先釦１による乗場呼び通過運転手段３が動作していないため、ステップＳ２に進む。ステップＳ２では、診療所がある目的階床の行先が所定時間以上操作されていればステップＳ３に進み、行先釦１の所定操作により乗場呼び通過運転手段３を動作させる。一方、目的階床の行先釦１を所定時間以上操作しない時は通常のかご呼び登録が行われ、乗場呼びの通過運転は選択されない。
【００１２】
次いで、ステップＳ３で行先釦１により乗場呼び通過運転が動作されて、ステップＳ４に進み、診療所階の行先釦灯をフリッカー点灯させる。更に、ステップＳ５に進み、目的階床迄の走行方向と同方向の乗場呼びを無視してエレベータかごを目的階床まで直通運転させる。
【００１３】
この後、目的階床へ到着するとステップＳ６で目的階床へ到着したか否かの判定を行い、目的階床へ到着した場合にはステップＳ７に進み、乗場呼び通過運転及び目的階床の行先釦灯のフリッカー点灯を解消する。一方、目的階床へ到着していない場合には、ステップＳ４〜Ｓ６を繰り返す。
【００１４】
次に、乗場呼びの通過運転を解消した時の実施の形態について説明する。
行先釦１による乗場呼び通過運転手段３が動作し、乗場呼びの通過運転を実施中であるので、ステップＳ１における判定にて、ステップＳ９に進む。ステップＳ９では、行先釦１による乗場呼び通過実施階の行先釦１が再操作されたか否かを判定し、行先釦１が操作されていればステップＳ７に進み、行先釦１による乗場呼び通過運転を解消する。一方、行先釦１が操作されていなければ、ステップＳ６に進み、乗場呼び通過運転を継続する。
【００１５】
したがって、一般乗客は乗場呼びでエレベータかごを呼び寄せ、到着したかご内に乗り込み、診療所がある目的階床の行先釦１を所定時間以上操作すれば、行先階床までエレベータかごを直通運転させることができ、さらに行先階床を間違えて入力してしまった場合でも再操作により直通運転を解消することができるので、再設定により正しい行先階床の入力を簡単に行うこともできる。
【００１６】
以上のように、本実施の形態１に係るエレベータの運転装置によれば、かご内の行先釦の所定操作に基づいて行先階床までエレベータかごを直通運転することにより、一般乗客が乗場呼び通過運転を簡単に選択、または解消することができる。また、乗場呼び通過要求の検出に基づいて行先釦灯をフリッカー点灯させることにより、乗場呼び通過要求の入力が認識されたことを確認することができる。
【００１７】
なお、本実施の形態１では、目的階床の行先釦１の操作継続時間を所定時間で説明したが、具体的数値は任意に設定可能である。
【００１８】
また、目的階床の行先釦操作継続による通過運転の選択は常時有効とすることで説明したが、エレベータが混雑する出勤時間帯、昼食時時間帯、退勤時間帯は制限することは容易に実施可能であることは言うまでもない。
【００１９】
さらに、乗場呼び通過運転の実施を目的階床の行先釦灯をフリッカー点灯させることで説明したが、音声による案内も容易に実施可能である。
【００２０】
【発明の効果】
この発明に係るエレベータの運転装置によれば、かご内の行先釦の所定操作に基づいて行先階床までエレベータかごを直通運転することにより、一般乗客が乗場呼び通過運転を簡単に選択することができる。
【図面の簡単な説明】
【図１】本発明の実施の形態１に係るエレベータの運転装置の構成を示したブロック図である。
【図２】本発明の実施の形態１に係るエレベータの運転装置の処理の流れを示したフローチャートである。
【符号の説明】
１　行先釦、２　乗場呼び通過検出手段、３　乗場呼び通過運転手段、４　乗場呼び通過要求解消手段。
【図１】
2004142883.tif 000003
【図２】
2004142883.tif 000004